(57)【要約】【課題】サーバ２０の介在によって携帯端末３０のコード読取機能と撮像機能とが操作し易く連携する調剤支援システム１０を実現する。【解決手段】携帯端末３０がコード読取を行うとそのコードデータを調剤サーバ２０へ送信し、処方データに係る調剤指示の作業完了が携帯端末３０か調剤サーバ２０によって検知された後か、処方データとの照合にて撮像の要否が判定され更に撮像が要ると判定されたときに、調剤サーバ２０が携帯端末３０へ撮像プログラム起動の指令を送信し、携帯端末３０が指令を受信すると撮像プログラムを起動して撮像可能な態勢を調えるとともに撮像を行うとその画像データを調剤サーバ２０へ送信し、調剤サーバ２０が画像データを受信すると処方データに関連付けて記録するようにする。【選択図】        図１
2015208528.tif 000002
【特許請求の範囲】
【請求項１】
コード読取機能に加えて撮像機能を具備した携帯端末と、処方箋に基づく処方データを保持する調剤サーバと、前記携帯端末と前記調剤サーバとに介在する通信部とを備えた調剤支援システムであって、前記携帯端末がコード読取を行うとそのコードデータを調剤サーバへ送信し、前記調剤サーバが前記コードデータを受信すると前記処方データに係る調剤指示の識別コードであるか否かを判定してそうであるときには前記携帯端末へ前記調剤指示を送信し、前記携帯端末が前記調剤指示を受信した後に前記調剤指示の全薬剤を調剤し終えたことを検知すると撮像プログラム起動の依頼を送信し、前記調剤サーバが前記依頼を受信すると前記携帯端末へ撮像プログラム起動の指令を送信し、前記携帯端末が前記指令を受信すると撮像プログラムを起動して撮像可能な態勢を調えるとともに撮像を行うとその画像データを調剤サーバへ送信し、前記調剤サーバが前記画像データを受信すると前記処方データに関連付けて記録するようになっていることを特徴とする調剤支援システム。
【請求項２】
コード読取機能に加えて撮像機能を具備した携帯端末と、処方箋に基づく処方データを保持する調剤サーバと、前記携帯端末と前記調剤サーバとに介在する通信部とを備えた調剤支援システムであって、前記携帯端末がコード読取を行うとそのコードデータを調剤サーバへ送信し、前記調剤サーバが前記コードデータを受信すると前記コードデータが前記処方データに係る調剤指示の識別コードであるか否かを判定してそうであるときには前記携帯端末へ前記調剤指示を送信するとともに前記コードデータが前記調剤指示に含まれる薬剤の識別コードであるか否かを判定して前記調剤指示の全薬剤を調剤し終えたことを検知したときには前記携帯端末へ撮像プログラム起動の指令を送信し、前記携帯端末が前記指令を受信すると撮像プログラムを起動して撮像可能な態勢を調えるとともに撮像を行うとその画像データを調剤サーバへ送信し、前記調剤サーバが前記画像データを受信すると前記処方データに関連付けて記録するようになっていることを特徴とする調剤支援システム。
【請求項３】
コード読取機能に加えて撮像機能を具備した携帯端末と、処方箋に基づく処方データを保持する調剤サーバと、前記携帯端末と前記調剤サーバとに介在する通信部とを備えた調剤支援システムであって、前記携帯端末がコード読取を行うとそのコードデータを調剤サーバへ送信し、前記調剤サーバが前記コードデータを受信すると前記処方データとの照合にて撮像の要否を判定するとともに撮像の要るときには前記携帯端末へ撮像プログラム起動の指令を送信し、前記携帯端末が前記指令を受信すると撮像プログラムを起動して撮像可能な態勢を調えるとともに撮像を行うとその画像データを調剤サーバへ送信し、前記調剤サーバが前記画像データを受信すると前記処方データに関連付けて記録するようになっていることを特徴とする調剤支援システム。
【発明の詳細な説明】
【技術分野】
【０００１】
この発明は、手作業による調剤行為を携帯端末の利用にて支援しつつ調剤行為データを記録する調剤支援システムに関する。
なお、本願において、調剤行為データは、調剤行為特定内容に係るデータであり、調剤行為特定内容は、調剤行為の内容の特定に資するものである。具体的には、調剤行為特定内容は、薬剤や薬剤の包装・容器といった調剤行為対象物や、調剤行為の元になった処方箋や調剤指示箋などの調剤行為関連物、調剤作業者や監査担当者といった調剤行為関連者を含んでいる。そして、調剤行為データは、調剤行為対象物や，調剤行為関連物，調剤行為関連者などに係るデータであり、調剤行為の内容の特定に資するデータである。
【背景技術】
【０００２】
医療分野だけでなく調剤分野でも、作業ミスの解明と防止を図る等のため、調剤作業者に携帯端末（携帯情報端末，ＰＤＡ，携帯電話機）を持たせ、その携帯端末を利用して手作業主体の又は手動自動混在の調剤行為を支援しつつ記録する調剤支援システムが実用化されている（例えば特許文献１〜２参照）。その調剤支援システムには、各種薬剤に係る在庫管理データや処方データを保持するサーバと、バーコードや二次元コード等で記された識別コードを読み取るコード読取機能を具備した携帯端末とが組み込まれており、半自動の調剤機や手作業の調剤台といった調剤機器のところで調剤作業時に調剤作業者が携帯端末に処方箋コード（調剤指示箋コード）等を読み取らせると、その情報がサーバに送信されてデータ記録される。そのような調剤行為データの記録保存は、後ほど過去の調剤行為を確認したくなったとき、役に立つ。
【０００３】
一方、薬剤の取り揃えや移送を自動で行う自動機や（例えば特許文献３〜５参照）、薬剤の取り揃えや移し替えに手作業を伴う半自動機・手動機（例えば特許文献６〜１２参照）には、撮像装置を具備していて移送中の薬剤や容器等収容中の薬剤を撮るようになっているものがある。そして、そのような調剤機器からサーバが調剤行為データを収集する調剤システムでも、調剤機器の撮像装置で撮った画像をサーバに記録保存しておくことで、過去の調剤行為を後で確認する謂わば遡及確認が可能になる。
【先行技術文献】
【特許文献】
【０００４】
【特許文献１】特開２００６−１０９８６０号公報
【特許文献２】特開２００６−２４７１５０号公報
【特許文献３】特開平１１−２０６８５５号公報
【特許文献４】特開２００６−３３４０６２号公報
【特許文献５】特開２０１３−１６５８６６号公報
【特許文献６】特開２００１−１９８１９２号公報
【特許文献７】特開２０１１−０２４６６３号公報
【特許文献８】特開２０１２−１１５５３０号公報
【特許文献９】特開２０１３−０１７５０６号公報
【特許文献１０】特開２０１３−０１７５０８号公報
【特許文献１１】特開２０１３−０４８７０５号公報
【特許文献１２】特開２０１３−０５９５６７号公報
【特許文献１３】特開２００７−２９７０６６号公報
【発明の概要】
【発明が解決しようとする課題】
【０００５】
このような従来の調剤システムや調剤支援システムでは、何れも調剤行為データが記録されるので、調剤行為の遡及確認が可能であるが、両システムには確認できる内容に直接的か間接的かという違いがある。具体的には、薬剤やその収容器といった調剤行為対象物その他の調剤行為特定内容の画像を撮る調剤機器（例えば特許文献３〜１２参照）を具備した調剤システムでは、確認対象となった調剤行為特定内容そのものの適否を調べる直接的確認が行えるのに対し、識別コードを携帯端末で読み取る調剤支援システムでは（例えば特許文献１〜２参照）、記録保存されるデータが、確認対象となった調剤行為特定内容そのものでなく、調剤行為対象物等に付された識別コードなので、確認対象の付帯物の適否を調べることで確認対象の適否を推認するという間接的確認が行えるにすぎない。
【０００６】
ところで、作業ミスの解明等のために調剤行為の遡及確認を行う場合、機械任せで済むことはほとんどなく、どこかの段階では確認対象を人間が目視で確認することが多い。このため、確認に用いる記録データはコードデータより画像データの方が使い易い。また、情報量が絞り込まれた識別コードより、現物の情報がそのまま含まれている画像データの方が、見落としていた事柄や想定外の関連情報なども見いだす可能性があるので、この観点からも、調剤行為の記録データはコードデータより画像データの方が好ましい。そうすると、調剤支援システムでも、カメラ付きが当たり前になった携帯電話機やスマートフォン等のような撮像機能付きの携帯端末を採用することで、調剤時に薬剤等の調剤行為特定内容を携帯端末で撮ってその画像をサーバに記録保存することが望まれることとなる。
【０００７】
しかしながら、撮像機能付きの携帯端末で画像を撮ってデータ記録するとしても、携帯端末を用いて調剤作業を確実に行うには、処方箋や薬剤などの画像だけでなく識別コードを読み取ることも欠かせないところ、携帯端末のコード読取機能と撮像機能とを操作し易く連携させるのを携帯端末だけで実現しようとすると、機種専用のプログラム（アプリケーションソフトウェア）が必要になるため、開発負担が重いうえ、汎用性が失われる。
そこで、サーバの介在によって携帯端末のコード読取機能と撮像機能とが操作し易く連携する調剤支援システムを実現することが技術的な課題となる。
【課題を解決するための手段】
【０００８】
本発明の調剤支援システムは（解決手段１）、上述した技術課題を解決するために創案されたものであり、コード読取機能に加えて撮像機能を具備した携帯端末と、処方箋に基づく処方データを保持する調剤サーバと、前記携帯端末と前記調剤サーバとに介在する通信部とを備えた調剤支援システムであって、前記携帯端末がコード読取を行うとそのコードデータを調剤サーバへ送信し、前記調剤サーバが前記コードデータを受信すると前記処方データに係る調剤指示の識別コードであるか否かを判定してそうであるときには前記携帯端末へ前記調剤指示を送信し、前記携帯端末が前記調剤指示を受信した後に前記調剤指示の全薬剤を調剤し終えたことを検知すると撮像プログラム起動の依頼を送信し、前記調剤サーバが前記依頼を受信すると前記携帯端末へ撮像プログラム起動の指令を送信し、前記携帯端末が前記指令を受信すると撮像プログラムを起動して撮像可能な態勢を調えるとともに撮像を行うとその画像データを調剤サーバへ送信し、前記調剤サーバが前記画像データを受信すると前記処方データに関連付けて記録するようになっていることを特徴とする。
【０００９】
また、本発明の調剤支援システムは（解決手段２）、やはり上述した技術課題を解決するために創案されたものであり、コード読取機能に加えて撮像機能を具備した携帯端末と、処方箋に基づく処方データを保持する調剤サーバと、前記携帯端末と前記調剤サーバとに介在する通信部とを備えた調剤支援システムであって、前記携帯端末がコード読取を行うとそのコードデータを調剤サーバへ送信し、前記調剤サーバが前記コードデータを受信すると前記コードデータが前記処方データに係る調剤指示の識別コードであるか否かを判定してそうであるときには前記携帯端末へ前記調剤指示を送信するとともに前記コードデータが前記調剤指示に含まれる薬剤の識別コードであるか否かを判定して前記調剤指示の全薬剤を調剤し終えたことを検知したときには前記携帯端末へ撮像プログラム起動の指令を送信し、前記携帯端末が前記指令を受信すると撮像プログラムを起動して撮像可能な態勢を調えるとともに撮像を行うとその画像データを調剤サーバへ送信し、前記調剤サーバが前記画像データを受信すると前記処方データに関連付けて記録するようになっていることを特徴とする。
【００１０】
さらに、本発明の調剤支援システムは（解決手段３）、やはり上述した技術課題を解決するために創案されたものであり、コード読取機能に加えて撮像機能を具備した携帯端末と、処方箋に基づく処方データを保持する調剤サーバと、前記携帯端末と前記調剤サーバとに介在する通信部とを備えた調剤支援システムであって、前記携帯端末がコード読取を行うとそのコードデータを調剤サーバへ送信し、前記調剤サーバが前記コードデータを受信すると前記処方データとの照合にて撮像の要否を判定するとともに撮像の要るときには前記携帯端末へ撮像プログラム起動の指令を送信し、前記携帯端末が前記指令を受信すると撮像プログラムを起動して撮像可能な態勢を調えるとともに撮像を行うとその画像データを調剤サーバへ送信し、前記調剤サーバが前記画像データを受信すると前記処方データに関連付けて記録するようになっていることを特徴とする。
【発明の効果】
【００１１】
このような本発明の調剤支援システムにあっては（解決手段１〜３）、携帯端末に調剤行為対象物等の識別コードを読み取らせると、そのコードデータが調剤サーバに送信されて、処方データに係る調剤指示の作業完了が携帯端末か調剤サーバによって検知された後に（解決手段１，２）、あるいは処方データとの照合にて撮像の要否が判定され更に撮像が要ると判定されたときに（解決手段３）、調剤サーバから携帯端末へ撮像プログラム起動の指令が送信される。そのため、携帯端末では、コード処理プログラムが撮像プログラムを起動するようになっていなくても、調剤サーバの指令に応じることで、撮像プログラムを起動して撮像可能な態勢を調えることができる。それから、携帯端末に調剤行為特定内容を撮らせると、その画像データが調剤サーバに送信されて処方データに関連付けて記録される。
【００１２】
このように、携帯端末を用いて調剤作業を行う際に、薬剤などの識別コードの読取に続くコードデータのサーバ送信に応じて必要時には撮像プログラムの起動指令が携帯端末に送り返されるようにしたことにより、携帯端末のコード読取機能と撮像機能とがサーバを介して連携するので、携帯端末に機種専用の連携プログラム等が無くても、携帯端末の一連の操作がし易くなる。また、携帯端末で撮った調剤行為特定内容の画像データが調剤サーバにて処方データに関連付けて記録されるので、調剤行為の遡及確認が可能である。
したがって、この発明によれば、サーバの介在によって携帯端末のコード読取機能と撮像機能とが操作し易く連携する調剤支援システムを実現することができる。
【００１３】
なお、処方データに係る調剤作業の完了後に撮像プログラムを起動するのは（解決手段１，２）、例えば多数の薬剤を薬剤区分収容器に小分け収容し終えてから幾つかの収容室を纏めて撮るような場合に便利であるのに対し、処方データとの照合にて撮像の要否が判定され更に撮像が要ると判定されたときに撮像プログラムを起動するのは（解決手段３）、各薬剤を撮りながら調剤作業を進める場合に便利であるが、それら両手段は、必ずしも排他的ではなく、併存させたうえで選択や切替などで使い分けることにより、利便性を更に向上させる行うことができる。また、撮像プログラムの起動は同時・近時に複数回行われても不都合がないので、調剤作業の完了検知は、携帯端末が行っても（解決手段１）、調剤サーバが行っても（解決手段２）、双方が行っても良い（後述の実施例）。
【図面の簡単な説明】
【００１４】
【図１】本発明の実施例１について、調剤支援システムの構成と使用状況を示し、（ａ）がシステム概要構成図、（ｂ）が調剤サーバと携帯端末の内部構造のブロック図、（ｃ）が調剤指示箋の識別コードを携帯端末で読み取っているところの模式図、（ｄ）が瓶詰めの薬を携帯端末で撮っているところの模式図、（ｅ）がＰＴＰ包装の薬を携帯端末で撮っているところの模式図である。
【図２】撮影距離Ｌと薬剤収容室の深さＤとの関係を示し、（ａ）〜（ｅ）何れも撮像装置と薬剤区分収容器との模式図である。
【発明を実施するための形態】
【００１５】
このような本発明の調剤支援システム及び携帯端末について、これを実施するための具体的な形態を、以下の実施例１により説明する。
図１に示した実施例１は、上述した解決手段１〜３（出願当初の請求項１〜３）を総て具現化したものである。
なお、それらの図示に際しては、簡明化等のため、電気回路や電子回路などの詳細な図示は割愛し、発明の説明に必要なものや関連するものを中心にブロック図を多用して図示した。
【実施例１】
【００１６】
本発明の調剤支援システムの実施例１について、その具体的な構成を、図面を引用して説明する。図１は、（ａ）が、調剤支援システム１０の概要構成図、（ｂ）が、調剤サーバ２０と携帯端末３０との内部構造のブロック図である。
【００１７】
調剤支援システム１０は、調剤サーバ２０と一個または複数個の携帯端末３０と無線通信部４０とを具えたものであり、調剤サーバ２０と携帯端末３０とが無線通信部４０を介して交信できるようになっている（例えば特許文献１〜２参照）。この調剤支援システム１０も、その支援を受けながら調剤作業を実行するための調剤機や，調剤台，監査台といった調剤機器８も、基本的な部分は既述した従来構成を踏襲しているので、そのような基本部分は簡潔に説明し、従来と異なる部分について詳細に説明する。
なお、以下の説明で述べる各プログラムの内容は、インストール先のコンピュータで該当プログラムが実行されたときの事（プロセス・機能）である。
【００１８】
調剤機器８は、調剤サーバ２０から無線通信部４０を介して処方データやそのうち該当するデータを抽出した調剤指示データを受信して自動で調剤する自動調剤機、処方データや調剤指示データを受信して或る程度は自動で調剤するが薬剤の取り揃えや移し替えなど調剤の一部に手作業を伴う半自動の調剤機や監査台、薬剤の取り揃えや移し替えなどの調剤作業をほとんど手作業で行わなければならない調剤台や調剤棚などであり、無線通信部４０を介した通信は、可能なものもあるが、可能でないものもあり、必須でない。
【００１９】
調剤サーバ２０は、後で詳述するコード処理プログラムや照合・判定・記録プログラムがインストールされたコンピュータ本体部２１と、処方箋の内容を電子データ化した処方データや調剤行為の遡及確認用の記録データを通常は多数保持している記憶装置２２とを具えたものであり、この例では外部に設けられた公知の処方オーダーエントリシステム２３から処方データを取得するようになっているが、図示しない処方箋受付装置やリムーバブル記憶装置など他の手段を介して処方データを取得するようになっていても良い。
【００２０】
処方データは、上述したように処方箋の内容を電子データ化したものなので処方箋と同等の単位で保持しても良く、調剤機や調剤作業者による一連の調剤行為を基準にして抽出作成した調剤指示データ・調剤指示箋の単位で保持しても良いが、両単位の何れでもアクセス可能なデータ構造で保持するのが便利なので、本例でもそうなっている。また、この処方データは、撮像の要否や可否を示す項目と、撮像の開始時期が調剤完了の前後いずれなのかを示す項目とを、上記両単位毎に更には薬剤毎に付加できるようになっている。
【００２１】
記録データは、調剤機や調剤作業者の調剤行為に伴って調剤機器８や携帯端末３０から送信されて来た調剤内容や調剤結果などの調剤行為データを基本的には時系列で記録したものであるが、調剤行為毎に纏められるとともに、調剤行為の元になった処方箋や調剤指示箋などの識別情報が付加されることで、処方データに関連付けられている。
【００２２】
携帯端末３０は、画面で表示と操作ができるうえ無線通信にてプログラム（アプリケーションソフトウェア）のダウンロードや起動もできる市販のスマートフォンといった汎用の多機能携帯電話機が安価で使い易いので本体部に採用されており、ハードウェア面では、コード読取の正確さと利便性のためコード読取部３１として既述の従来品と同様のコードリーダが本体に外付けされているが、撮像部３２には標準装備の内蔵カメラが割り当てられている。ソフトウェアについては、次に詳述するコード読取プログラムと表示・操作プログラムと撮像プログラムとがインストールされている。
【００２３】
コード読取プログラムは、コード読取部３１が使用者の操作に応じてコード読取を行ってコードデータが得られると、そのコードデータをコード読取部３１から本体に入力し更に無線通信部４０経由で調剤サーバ２０へ送信するようになっている。読取対象のコードは、調剤部の運用に対応して選定された例えばバーコードや，二次元コード，カラービットコードなどで、識別情報をコード化したものである。
【００２４】
撮像プログラムは、カメラと同じく標準装備のカメラ撮影プログラムで良く、やはり標準装備の遠隔操作機能の一つの遠隔起動機能に対応していて、起動指令が調剤サーバ２０から送信されて無線通信部４０経由で携帯端末３０に届くと、受信した起動指令に応じて起動されるようになっている。また、起動後は、撮像部３２のモニタ表示を画面に行いながら使用者の操作に応じて撮像部３２での撮像を実行し、その撮像で得た画像データを無線通信部４０経由で調剤サーバ２０へ送信するようになっている。
【００２５】
表示・操作プログラムは、タッチパネル画面を用いた表示と操作をサポートする標準装備のプログラムを基本としたものであるが、他のプログラムに合わせて適宜な拡張や具体化がなされている。例えば、コード読取部３１の読取結果の画面表示や、撮像部３２の操作受付とモニタ表示、調剤サーバ２０から送信されて携帯端末３０に届いた調剤指示データや画像データに基づく調剤指示箋や画像の画面表示なども行うようになっている。
【００２６】
また、この表示・操作プログラムは、調剤サーバ２０から受信した調剤指示データに、調剤完了後に撮像を開始する旨のデータが、付加されていた場合には、調剤指示に含まれている薬剤の識別コードをコード読取部３１で読み取るか、あるいは画面に表示した薬剤の項目を使用者がタッチするといった操作を行うと、その薬剤については調剤作業が終えたと判定するようになっている。さらに、調剤指示に含まれていて画面に表示した総ての薬剤について調剤作業を終えたとの判定結果が得られたことをもって、調剤指示の全薬剤を調剤し終えたことを検知して、撮像プログラム起動の依頼を調剤サーバ２０へ送信するようになっている。
【００２７】
調剤サーバ２０のコード処理プログラムは、コード読取部３１で読み取ったコードデータが携帯端末３０から無線通信部４０経由で調剤サーバ２０に届くと、受信したコードデータに応じて従来同様の処理を行うのに加えて、受信したコードデータが調剤作業者の識別コードなのか処方箋や調剤指示箋の識別コードなのか更には薬剤の識別コードなのか或いは他のコードなのかを図示しないコード分類テーブル等で調べ、そのコードが処方箋や調剤指示箋の識別コードや，薬剤の識別コードであれば、そのコードを照合・判定・記録プログラムに引き渡すようになっている。
【００２８】
調剤サーバ２０の照合・判定・記録プログラムは、コード処理プログラムから処方箋か調剤指示箋か調剤作業者か何れかの識別コードを渡されると、その受け取った識別コードを処方データや図示しない調剤作業者登録リストデータ等との照合にて調べて、その識別コードが割り振られた箋や者に係るデータの中に撮像の要否や可否を示す項目と撮像の開始時期が調剤完了の前後いずれなのかを示す項目とがあって而もそれらの項目のうち撮像の要否に否でなく要や可が設定されていること及び撮像の開始時期に調剤完了の前が設定されていることが分かったときには、調剤作業中の撮像が要ると判定して、上述した遠隔起動機能対応の指令であって携帯端末３０の撮像プログラムを起動対象に指定した起動指令を無線通信部４０経由で携帯端末３０へ送信するが、その際、撮像の設定値が可のときには単純な起動指令を送るのに対し、撮像の設定値が要のときには、撮像を促す表示も行わせるパラメータの付いた起動指令を送るようになっている。さらに、識別コードが処方データに係る調剤指示のものであるときには、その調剤指示データを携帯端末３０へ送信するようにもなっている。
【００２９】
また、この照合・判定・記録プログラムは、上述した項目のうち撮像の要否に要や可が設定されていること及び撮像の開始時期に調剤完了の後が設定されていることが分かったときには、調剤作業完了後の撮像が要ると判定して、起動指令の即時送信を控えながらも、調剤完了後に撮像を開始する旨のデータを調剤指示データに付加してから、それを携帯端末３０へ送信するようになっている。
さらに、照合・判定・記録プログラムは、上述した撮像プログラム起動の依頼を携帯端末３０から受信すると、やはり上述した撮像プログラムの起動指令を無線通信部４０経由で携帯端末３０へ送信するようになっている。
【００３０】
また、この調剤サーバ２０の照合・判定・記録プログラムは、コード処理プログラムから薬剤の識別コードを渡されると、既に調剤指示を携帯端末３０に送っていることと調剤作業完了後の撮像が要ると判定していることとを確認したうえで、その識別コードの薬剤が上記の調剤指示に含まれているか否かを調べて、含まれている場合、その薬剤については調剤作業が終えたと判定するようになっている。さらに、調剤指示に含まれている総ての薬剤について調剤作業を終えたとの判定結果が得られたことをもって、調剤指示の全薬剤を調剤し終えたことを検知して、上述した撮像プログラムの起動指令を無線通信部４０経由で携帯端末３０へ送信するようになっている。
【００３１】
また、この照合・判定・記録プログラムは、撮像部３２で撮った画像データが携帯端末３０から無線通信部４０経由で調剤サーバ２０に送信されてくると、受信した画像データを例えばタイムスタンプ付きで次々と記録データに追加して記録保存するが、その際、上述のようにして調剤作業者の識別コードと処方箋や調剤指示箋の識別コードとのうち何れか片方でも先に取得されていれば、その又はそれらの識別コードを画像データと一緒に記録したり或いは識別コードを画像データのインデックスにする等のことにより、識別コードをキーにして記録データから画像データを検索できる態様で、コードデータを処方データや調剤作業者登録リストデータに関連付けて記録するようになっている。
【００３２】
この実施例１の調剤支援システム１０について、その使用態様及び動作を、図面を引用して説明する。図１は、（ｃ）が、調剤指示箋２の識別コード２ａを携帯端末３０で読み取っているところの模式図、（ｄ）が、瓶詰めされた薬Ａ１を携帯端末３０で撮っているところの模式図、（ｅ）が、ＰＴＰ包装された薬Ａ２を携帯端末３０で撮っているところの模式図である。
【００３３】
調剤機器８の所で調剤を行おうとする調剤作業者は（図１（ａ）参照）、先ず、携帯端末３０を操作して、そのコード読取部３１で調剤指示箋２の識別コード２ａを読み取らせる（図１（ｃ）参照）。そうすると、その識別コード２ａのコードデータが携帯端末３０から無線送信されて調剤サーバ２０によって受信され、それから、調剤指示箋２の内容を電子データ化した調剤指示データが、調剤サーバ２０から送信されて携帯端末３０によって受信され、それに応じて携帯端末３０で調剤指示箋２の内容が表示されるので、調剤作業者は、調剤指示箋２のコード読取とその受理が的確に行われたことを、目視で、確認することができる。
【００３４】
また、調剤指示箋２の識別コード２ａの受信に応じて、調剤サーバ２０では、撮像の要否等が調べられるが、調剤指示箋や処方箋そのものの撮像についてはほとんど要否の設定が否になっているので、その場合、この時点では、携帯端末３０で画像を撮る必要がなくて、起動指令が送信されないので、携帯端末３０での撮像プログラムの自動起動はない。調剤指示箋や処方箋で指示された薬剤のうち自動調剤対象の薬剤の撮像についても同様である。これに対し、調剤指示箋や処方箋で指示された薬剤のうち手作業による調剤を要する薬剤に対する撮像については、各々の薬剤毎に個別で、あるいは調剤指示箋や処方箋ごとに一括で、要否の設定が要か可になっている。また、そのなかでも薬剤手撒きのように多数の薬剤を立て続けに処理する調剤指示については、撮像の開始時期が調剤完了の後に設定されていることが多い。以下、それらの設定状況に分けて動作等を説明する。
【００３５】
調剤指示箋２の表示内容（図１（ｃ）参照）を目視で確認した後、調剤作業者が調剤指示箋２で指示された薬剤４の何れか例えば薬Ａ１を手に取ってそれに付された識別コードを携帯端末３０に読み取らせると、その薬Ａ１のコードデータが携帯端末３０から無線送信されて調剤サーバ２０によって受信され、調剤サーバ２０で撮像の要否等が調べられるが、調剤指示データや処方データにおいては手作業の対象の薬剤の多くについて撮像の要否等の設定が要か可になっており、更に撮像の開始時期が調剤完了の前に設定されている場合、要か可の設定値に応じて撮像催促表示付きの又は無しの起動指令が、調剤サーバ２０から送信されて携帯端末３０によって受信され、それに応じて携帯端末３０で撮像プログラムが自動起動される。こうして携帯端末３０は速やかに撮像の態勢を調える。
【００３６】
そして、携帯端末３０の画面に撮像部３２の画像がモニタ表示されるので（図１（ｄ）参照）、それを見て調剤作業者が薬Ａ１を的確に撮れることを確認したうえで携帯端末３０に撮像させると、その薬Ａ１の画像データが、携帯端末３０から無線送信されて、調剤サーバ２０によって受信され、さらに、調剤サーバ２０により処方データに関連付けて記録される。具体的には、受信した画像データと組にして、その時刻のタイムスタンプと、先に取得していた調剤指示箋２の識別コードと薬Ａ１の識別コードとが、記録データに追加保存される。こうして、手作業調剤対象の薬Ａ１の画像データが遡及確認に適う形で記録保存される。また、薬Ａ１の識別コードが調剤サーバ２０に渡されているので、携帯端末３０だけでなく調剤サーバ２０も調剤作業の進み具合を把握することができる。
【００３７】
さらに（図１（ｅ）参照）、調剤作業者が調剤指示箋２で指示された他の薬剤４例えば薬Ａ２を手に取って、それに識別コードが付されていれば、その識別コードを携帯端末３０に読み取らせると、上述したのと同様にして、携帯端末３０が速やかに撮像の態勢を調えるが、もしも、薬Ａ２に識別コードが付されていない場合は、一旦、調剤指示箋２の内容を画面に表示させて（図１（ｅ）破線部分を参照）、その表示項目の中から薬Ａ２の項目を選択操作すると（図１（ｅ）太文字の部分を参照）、選択された薬Ａ２のコードデータが携帯端末３０から調剤サーバ２０へ無線送信され、後は上述したのと同様にして、やはり携帯端末３０が速やかに撮像の態勢を調えるとともに（図１（ｅ）実線部分を参照）、そのコードで携帯端末３０も調剤サーバ２０も調剤作業の進み具合を把握する。
【００３８】
そして、やはり携帯端末３０の画面に撮像部３２の画像がモニタ表示されるので（図１（ｅ）実線部分を参照）、それを見て確認のうえ調剤作業者が携帯端末３０に薬Ａ２を撮像させると、やはり上述のようにして、薬Ａ２の画像データが、調剤サーバ２０に送られて、それから、調剤サーバ２０によって処方データに関連付けて記録される。
こうして、調剤指示箋２で指定された手作業調剤対象の薬Ａ１，Ａ２，…が次々に手早く撮れるとともに、何れの画像データも遡及確認に適う形で記録保存される。
【００３９】
一方、上例の薬Ａ１，Ａ２といった薬剤４に係る撮像の要否等について、撮像の要否の設定が要か可になっていることが上述した通りであっても、撮像の開始時期が調剤完了の前でなく後に設定されている場合は、動作状態が上述したのと少し異なる。すなわち、撮像プログラムの起動指令が直ちに調剤サーバ２０から携帯端末３０へ送信されるのでなく、その代わりに、調剤完了後に撮像を開始する旨のデータが付加された調剤指示データが調剤サーバ２０から携帯端末３０へ送信される。
【００４０】
そうすると、携帯端末３０での撮像を省いた状態で速やかに調剤指示の各薬剤を取り揃えることができるとともに、その調剤作業に際して各薬剤毎に携帯端末３０を用いて識別コードの読取か画面項目の操作選択を行うことで、調剤指示の対象薬剤が総て揃ったときに、そのことが調剤サーバ２０と携帯端末３０との何れか一方または双方によって検知され、それに応じて携帯端末３０で撮像プログラムが自動起動される。
こうして、携帯端末３０は一連の調剤作業の完了後に撮像の態勢を調えるので、取り揃えた薬剤を纏めて撮ることも適宜に分けて撮ることもできる。
【００４１】
そのような撮像状況を図面を参照しながら説明する。図２（ａ）〜（ｅ）は、何れも、撮像装置６，３０と薬剤区分収容器９０と薬剤４との模式図であり、撮影距離Ｌと薬剤収容室の深さＤとの関係を示している。なお、撮像装置６はいわゆる定点カメラ状態で設置されたものであり、撮像部３２は上述した携帯端末３０のカメラ等である。
【００４２】
対比のために、先ず定点カメラ状態の撮像装置６で撮る場合を説明すると、薬剤や収容器といった調剤行為特定内容の画像を撮る従来の調剤機器（例えば特許文献３〜１２参照）では、撮像装置６が、定点カメラ状態で設置されていて、初期調整時などに設定位置を少し変えることはあるが、ほとんど最適位置に固定されている。このため、そのような調剤機器では、薬剤や収容器といった撮像対象の形状がほぼ一定していれば良好な画像が安定して得られるという利点がある一方、撮像対象の形状が変化に富む状況ではコストや負担が過大になりやすい。
これに対し、位置が固定されていない携帯端末３０は、遮るものさえ無ければ遠くからでも近くからでも好きな向きで手軽に撮ることができるので便利である。
【００４３】
詳述すると、薬剤手撒き装置や薬剤分包機の手撒き部である薬剤区分収容器９０が浅めのもので各収容室の深さＤが小さい場合（図２（ａ）参照）、撮像装置６や携帯端末３０の撮像部３２（以下、撮像装置６，３２という）と薬剤区分収容器９０とが近めで両者６，３２ｖｓ９０の離隔距離である撮影距離Ｌが小さくても、薬剤区分収容器９０に収容された薬剤４，４，…は、どの収容室のものも明瞭に撮影されるのに対し、薬剤区分収容器９０が深めのもので各収容室の深さＤが大きいのに撮影距離Ｌが同じままの場合（図２（ｂ）参照）、中央の収容室の薬剤４，４，…は明瞭に撮影されるが、端の収容室の薬剤４，４，…は仕切りに隠れて撮影されないこともありうる。
【００４４】
この場合、撮像の適正化には、撮影距離Ｌを拡大するか（図２（ｃ）参照）、撮影距離Ｌを維持するには、撮像装置６を用いる場合、複数の撮像装置６，６で撮影範囲を分担するか（図２（ｄ）参照）、それぞれの所へ撮像装置６を移動させて複数回撮影するか（図２（ｅ）参照）、といったことが必要になる。そして、そのような撮像の適正化を具体化するとき、撮像装置を固定する方式や撮像装置を機械で移動させる方式で調剤機器を改造するのではコストが嵩む。これに対し、携帯端末３０を用いて撮像する場合（図２（ａ），（ｃ），（ｅ）参照）、持ち運び自在なので、どこからでも、どの向きでも、何回でも、自由に撮ることができる。そのため、この調剤支援システム１０は、薬剤等の収容物が的確に撮れる状態で撮像したか否かが分かり易くて気軽に使う行うことができる。
【００４５】
［その他］
上記実施例では、薬剤４や薬剤区分収容器９０の画像データが記録保存されるようになっていたが、それに加えて調剤作業者の画像データを記録するようにしても良い。
上記実施例では、調剤サーバ２０の本体部２１を一ブロックで示したが、これは基本構成の例示であり、それによって調剤サーバ２０が単一コンピュータに限定される訳ではない。例えば、いわゆるクラウドコンピュータ等の分散型コンピュータシステムでも良く、照合や記録などを行う専用コンピュータと撮像プログラム起動の依頼受信や指令送信を行う別の既存サービスセンタ用コンピュータとを合わせたコンピュータ群でも良い。
【００４６】
上記実施例では、撮像の要否等の設定が薬剤毎の個別でも調剤指示箋や処方箋ごとの一括でも出来るようになっていたが、個別か一括か何れか一方の設定だけでも良い。
上記実施例では、調剤完了後に撮像を開始する旨のデータを調剤指示データに付加して調剤指示データを再送することで、調剤完了後に撮像を開始する旨が通知されるようになっていたが、調剤完了後に撮像を開始する旨の通知を調剤指示データとは別に単独で調剤サーバ２０から携帯端末３０へ送信するようにしても良い。
【産業上の利用可能性】
【００４７】
本発明の調剤支援システム及び携帯端末は、錠剤の手撒きや散薬の秤量といった典型的な調剤作業の支援に適用が限られる訳でなく、そのような作業と密接に関連する監査や薬剤交付といった広い意味での調剤作業の支援にも適用することができる。
【符号の説明】
【００４８】
２…調剤指示箋、２ａ…識別コード、４…薬剤、６…撮像装置、８…調剤機器、
１０…調剤支援システム、
２０…調剤サーバ、２１…本体部、
２２…記憶装置、２３…処方オーダーエントリシステム、
３０…携帯端末、
３１…コード読取部、３２…撮像部、４０…無線通信部、
９０…薬剤区分収容器
【図１】
2015208528.tif 000003
【図２】
2015208528.tif 000004